(57)【要約】【課題】入力画像の輝度が高い場合のマーカの視認性を向上させる。【解決手段】表示装置１は、入力画像を取得する映像入力インタフェース１００と、入力画像の輝度を特定する輝度特定部１０４と、輝度特定部１０４が特定した輝度に基づいて決定した線幅のマーカ画像を入力画像に重畳した表示画像を表示する表示パネル１１０と、を有する。また、表示装置２は、入力画像を取得する映像入力インタフェース１００と、入力画像の輝度を特定する輝度特定部１０４と、輝度特定部１０４が特定した輝度が所定の閾値以上である場合に、入力画像の輝度を下げるように入力画像の画素値を補正した補正画像にマーカ画像を重畳した表示画像を表示する表示パネル１１０と、を有する。【選択図】図１
2017219566.tif 000002
【特許請求の範囲】
【請求項１】
入力画像を取得する取得手段と、
前記入力画像の輝度を特定する輝度特定手段と、
前記輝度特定手段が特定した輝度に基づいて決定した線幅のマーカ画像を前記入力画像に重畳した表示画像を表示する表示手段と、
を有することを特徴とする表示装置。
【請求項２】
前記表示手段は、前記輝度特定手段が特定した輝度が所定の閾値以上である場合に、前記輝度特定手段が特定した輝度が前記閾値未満である場合よりも線幅が大きい前記マーカ画像を表示することを特徴とする、
請求項１に記載の表示装置。
【請求項３】
前記入力画像を生成する撮影装置において撮影位置の調整が行われているかどうかを判定する調整判定手段をさらに有し、
前記表示手段は、前記調整判定手段が前記撮影位置の調整が行われていると判定した場合に、前記輝度特定手段が特定した輝度に基づいて決定した線幅の前記マーカ画像を表示することを特徴とする、
請求項１又は２に記載の表示装置。
【請求項４】
前記表示手段は、前記入力画像における中心位置を示す前記マーカ画像を表示する場合に、前記輝度特定手段が特定した輝度が所定の大きさ未満の場合に表示する基準マーカ画像の上側、下側、左側及び右側の少なくともいずれかに、前記輝度特定手段が特定した輝度に対応する太さの線を付加することにより、前記基準マーカ画像よりも線幅が大きい前記マーカ画像を表示することを特徴とする、
請求項１から３のいずれか一項に記載の表示装置。
【請求項５】
前記表示手段は、前記入力画像における所定の領域を示す前記マーカ画像を表示する場合に、前記輝度特定手段が特定した輝度が所定の大きさ未満の場合に表示する基準マーカ画像の外側に、前記輝度特定手段が特定した輝度に対応する太さの線を付加することにより、前記基準マーカ画像よりも線幅が大きい前記マーカ画像を表示することを特徴とする、
請求項１から３のいずれか一項に記載の表示装置。
【請求項６】
前記入力画像における所定の領域を選択する選択手段をさらに有し、
前記表示手段は、前記入力画像の全体に重畳する前記マーカ画像を表示する場合に、前記選択手段が選択した前記所定の領域において、前記輝度特定手段が特定した輝度に対応し、前記所定の領域以外の領域よりも線幅が大きい前記マーカ画像を表示することを特徴とする、
請求項１から３のいずれか一項に記載の表示装置。
【請求項７】
前記表示手段は、前記入力画像の全体に重畳する前記マーカ画像を表示する場合に、前記輝度特定手段が特定した輝度が所定の閾値以上である高輝度領域において、前記高輝度領域以外の領域よりも線幅が大きい前記マーカ画像を表示することを特徴とする、
請求項１から３のいずれか一項に記載の表示装置。
【請求項８】
前記輝度特定手段は、前記マーカ画像を重畳する領域における前記入力画像の輝度を特定することを特徴とする、請求項１から７のいずれか一項に記載の表示装置。
【請求項９】
前記輝度特定手段は、前記入力画像の輝度の統計量を算出し、
前記表示手段は、前記入力画像の全体に重畳する前記マーカ画像を表示する場合に、前記輝度特定手段が算出した前記輝度の統計量に対応する線幅の前記マーカ画像を表示することを特徴とする、
請求項１から８のいずれか一項に記載の表示装置。
【請求項１０】
入力画像を取得するステップと、
前記入力画像の輝度を特定するステップと、
特定した輝度に基づいて決定した線幅のマーカ画像を前記入力画像に重畳した表示画像を表示するステップと、
を有することを特徴とする表示方法。
【請求項１１】
表示手段に表示画像データを出力する電子機器であって、
前記表示画像データに対応する表示画像の輝度を特定する輝度特定手段と、
前記輝度特定手段が特定した輝度に基づいて決定した線幅のマーカ画像を前記表示画像に重畳した画像データを前記表示手段に出力する出力手段と、
を有することを特徴とする電子機器。
【請求項１２】
コンピュータに、
表示手段に出力する表示画像データに対応する表示画像の輝度を特定するステップと、
特定した輝度に基づいて決定した線幅のマーカ画像を前記表示画像に重畳した画像データを前記表示手段に出力するステップと、
を実行させるためのプログラム。
【請求項１３】
入力画像を取得する取得手段と、
前記入力画像の輝度を特定する輝度特定手段と、
前記輝度特定手段が特定した輝度が所定の閾値以上である場合に、前記入力画像の輝度を下げるように前記入力画像の画素値を補正した補正画像にマーカ画像を重畳した表示画像を表示する表示手段と、
を有することを特徴とする表示装置。
【請求項１４】
前記輝度特定手段は、前記入力画像を構成する複数の領域それぞれにおける前記入力画像の輝度を特定し、
前記表示手段は、前記複数の領域のうち、前記輝度特定手段が特定した前記入力画像の輝度が前記閾値以上の高輝度領域の画素値を補正した前記補正画像に前記マーカ画像を重畳した前記表示画像を表示することを特徴とする、
請求項１３に記載の表示装置。
【請求項１５】
前記マーカ画像を表示することを優先するマーカ優先モード、又は前記入力画像の画質を維持することを優先する画像優先モードのいずれかの設定を受け付ける設定受付手段をさらに有し、
前記表示手段は、前記マーカ優先モードに設定された場合に、前記補正画像に前記マーカ画像を重畳した前記表示画像を表示し、前記画像優先モードに設定された場合に、前記入力画像の画素値を補正せずに、前記高輝度領域に前記マーカ画像を表示することなく前記入力画像を表示することを特徴とする、
請求項１４に記載の表示装置。
【請求項１６】
前記表示手段は、前記画像優先モードに設定された場合に、前記複数の領域のうち、前記輝度特定手段が特定した前記入力画像の輝度が所定の範囲内の領域の前記入力画像に前記マーカ画像を重畳した前記表示画像を表示することを特徴とする、
請求項１５に記載の表示装置。
【請求項１７】
前記取得手段は、第１のダイナミックレンジの第１画像データと、前記第１のダイナミックレンジよりも大きい第２のダイナミックレンジの第２画像データとを取得し、
前記表示手段は、前記輝度特定手段が特定した輝度が前記所定の閾値以上である場合に、前記第１画像データを表示し、前記輝度特定手段が特定した輝度が前記所定の閾値未満である場合に、前記第２画像データを表示することを特徴とする、
請求項１３から１６のいずれか一項に記載の表示装置。
【請求項１８】
入力画像を取得するステップと、
前記入力画像の輝度を特定するステップと、
特定した輝度が所定の閾値以上である場合に、前記入力画像の輝度を下げるように前記入力画像の画素値を補正した補正画像にマーカ画像を重畳した表示画像を表示するステップと、
を有することを特徴とする表示方法。
【請求項１９】
表示手段に表示画像データを出力する電子機器であって、
前記表示画像データに対応する表示画像の輝度を特定する輝度特定手段と、
前記輝度特定手段が特定した輝度が所定の閾値以上である場合に、前記表示画像の輝度を下げるように前記表示画像データの画素値を補正した補正画像データにマーカ画像データを重畳した前記表示画像データを前記表示手段に出力する出力手段と、
を有することを特徴とする電子機器。
【請求項２０】
コンピュータに、
表示手段に出力する表示画像データに対応する表示画像の輝度を特定するステップと、
特定した輝度が所定の閾値以上である場合に、前記表示画像の輝度を下げるように前記表示画像データの画素値を補正した補正画像データにマーカ画像データを重畳した前記表示画像データを前記表示手段に出力するステップと、
を実行させるためのプログラム。
【発明の詳細な説明】
【技術分野】
【０００１】
本発明は、表示装置及び表示方法に関するものである。
【背景技術】
【０００２】
画像を表示する表示装置において、表示する画像にマーカを重畳させて表示する技術が知られている。特許文献１には、表示装置の画面が小さい場合に、マーカの大きさを変更する技術が開示されている。
【先行技術文献】
【特許文献】
【０００３】
【特許文献１】国際公開第２０１１／００４６１２号
【発明の概要】
【発明が解決しようとする課題】
【０００４】
特許文献１で開示されている技術においては、表示装置の画面の大きさに応じて、表示画面の大きさに対するマーカの大きさを変化させることで、画面が小さい表示装置における表示画像の視認性を向上させることができる。例えば、画面が小さい表示装置においてはマーカを小さくすることで、入力画像が表示される十分な領域を確保することが可能になる。
【０００５】
しかしながら、従来の表示装置においてはマーカの視認性に対して配慮されておらず、表示画像の輝度が高い場合に、マーカの視認性が悪くなってしまうという問題があった。例えば、表示装置がＨＤＲ（High Dynamic Range）画像を表示する場合、輝度が高い領域にマーカを表示するとマーカが目立たないので、ユーザがマーカを視認しづらいという問題があった。
【０００６】
そこで、本発明は上述した点に鑑みてなされたものであり、表示する画像の輝度が高い場合のマーカの視認性を向上させることを目的としている。
【課題を解決するための手段】
【０００７】
本発明の第１の態様の表示装置は、入力画像を取得する取得手段と、前記入力画像の輝度を特定する輝度特定手段と、前記輝度特定手段が特定した輝度に基づいて決定した線幅のマーカ画像を前記入力画像に重畳した表示画像を表示する表示手段と、を有することを特徴とする。
【０００８】
本発明の第２の態様の表示方法は、入力画像を取得するステップと、前記入力画像の輝度を特定するステップと、特定した輝度に基づいて決定した線幅のマーカ画像を前記入力画像に重畳した表示画像を表示するステップと、を有することを特徴とする。
【０００９】
本発明の第３の態様の表示装置は、入力画像を取得する取得手段と、前記入力画像の輝度を特定する輝度特定手段と、前記輝度特定手段が特定した輝度が所定の閾値以上である場合に、前記入力画像の輝度を下げるように前記入力画像の画素値を補正した補正画像にマーカ画像を重畳した表示画像を表示する表示手段と、を有することを特徴とする。
【００１０】
本発明の第４の態様の表示方法は、入力画像を取得するステップと、前記入力画像の輝度を特定するステップと、特定した輝度が所定の閾値以上である場合に、前記入力画像の輝度を下げるように前記入力画像の画素値を補正した補正画像にマーカ画像を重畳した表示画像を表示するステップと、を有することを特徴とする。
【発明の効果】
【００１１】
本発明によれば、表示する画像の輝度が高い場合のマーカの視認性を向上させることができるという効果を奏する。
【図面の簡単な説明】
【００１２】
【図１】第１の実施形態に係る表示装置１の構成を示すブロック図である。
【図２】表示装置１が表示可能なユーザメニューを示す図である。
【図３】微調整判定部１０３の動作について説明するための概念図である。
【図４】微調整判定部１０３が生成する動きベクトル検出結果１５０の概念図である。
【図５】統計量算出結果２００の概念図である。
【図６】撮影装置から入力されたＨＤＲ画像を表示している状態を示す図である。
【図７】画面の中央にセンターマーカ６０を表示した状態を示す図である。
【図８】線幅決定部１０６が線幅を決定する方法について説明するための図である。
【図９】センターマーカ６０を表示する動作の手順を示すフローチャートである。
【図１０】画面の中央にエリアマーカ９０を表示した状態を示す図である。
【図１１】エリアマーカ９０を表示する動作の手順を示すフローチャートである。
【図１２】ユーザが微調整を実施しているかどうかを判定する手順のフローチャートである。
【図１３】画面にクロスハッチが表示された状態を示す図である。
【図１４】クロスハッチ６１０を表示する動作の手順を示すフローチャートである。
【図１５】画面にクロスハッチが表示された状態を示す図である。
【図１６】クロスハッチ６２０を表示する動作の手順を示すフローチャートである。
【図１７】第２の実施形態に係る表示装置２の構成を示す図である。
【図１８】表示輝度算出結果２５０について説明するための図である。
【図１９】情報管理部１０８について説明するための概念図である。
【図２０】表示装置２のマーカ表示手順のフローチャートである。
【図２１】高輝度領域にマーカを表示する例を示す図である。
【図２２】第３の実施形態に係る表示装置３の構成を示す図である。
【図２３】表示装置３のマーカ表示手順のフローチャートである。
【発明を実施するための形態】
【００１３】
＜第１の実施形態＞
［表示装置１の構成］
本発明の第１の実施形態に係る表示装置１は、撮影装置から入力されたＨＤＲ動画像と各種のマーカとを同時に表示することができる。表示装置１は、例えば、表示装置１の画面の中心位置を示すセンターマーカ、画面内の所定のエリアを示すエリアマーカ、又は縦方向及び横方向の網目状の直線から構成されるクロスハッチを表示することができる。表示装置１は、ユーザにより設定された内容に基づいて、マーカを視認しやすい線幅にして表示することができる。
【００１４】
図１は、第１の実施形態に係る表示装置１の構成を示すブロック図である。表示装置１は、映像入力インタフェース１００、ユーザ操作インタフェース１０１、注目物検出部１０２、微調整判定部１０３、輝度特定部１０４、感度判定部１０５、線幅決定部１０６、描画部１０７、情報管理部１０８、合成部１０９及び表示パネル１１０を有する。
【００１５】
映像入力インタフェース１００は、撮影装置から画像を取得するための画像取得手段である。映像入力インタフェース１００に入力された画像（以下、入力画像という）は、注目物検出部１０２、輝度特定部１０４及び合成部１０９に送られる。
【００１６】
ユーザ操作インタフェース１０１は、ユーザが設定する内容を受け付ける設定受付手段である。ユーザ操作インタフェース１０１は、ユーザにより入力された設定内容を情報管理部１０８に通知する。
【００１７】
注目物検出部１０２は、映像入力インタフェース１００が取得した入力画像における一部の領域を選択する選択手段である。注目物検出部１０２は、入力画像に含まれている、人物又は建物などの注目物を検出し、検出した注目物を含む領域を選択する選択手段として機能する。注目物検出部１０２は、例えば、画像における高周波成分を含むエッジを検出し、エッジによって囲まれた領域を注目物領域として選択する。注目物検出部１０２は、ユーザ操作インタフェース１０１を介してユーザにより指定された領域を、注目物が含まれる領域として選択してもよい。
【００１８】
微調整判定部１０３は、映像入力インタフェース１００が複数のフレームで取得した複数の画像における、注目物検出部１０２が検出した注目物の所定の時間内の移動量を示す動きベクトル量を算出し、動きベクトル量に基づいて、ユーザが撮影装置の位置を微調整しているかどうかを判定する。微調整判定部１０３は、動きベクトル量がゼロである場合又は動きベクトル量が所定の値よりも大きい場合に、ユーザが微調整をしていないと判定し、動きベクトル量が所定の範囲内である場合、ユーザが微調整をしていると判定する。微調整判定部１０３の動作の詳細については、後述する。
【００１９】
輝度特定部１０４は、映像入力インタフェース１００が取得した入力画像の輝度を特定する輝度特定手段である。輝度特定部１０４は、例えば、入力画像の領域ごとの輝度を特定し、領域ごとの輝度の統計量を算出する。具体的には、輝度特定部１０４は、映像入力インタフェース１００が取得した画像を予め定められた複数の領域（例えば、ｍ及びｎを整数とした場合にｍ×ｎ画素の複数の領域）に分割し、それぞれの領域における輝度の平均値を統計量として算出する。輝度特定部１０４は、算出した統計量を領域に関連付けて情報管理部１０８内のメモリに記憶させる。輝度特定部１０４の動作の詳細については、後述する。
【００２０】
感度判定部１０５は、輝度特定部１０４が算出した輝度の統計量に基づいて、ＨＤＲ動画像を視認するユーザが、眩しいと感じるか否かを判定する。感度判定部１０５は、輝度特定部１０４が輝度の統計量を算出した領域ごとに、輝度の統計量を所定の閾値と比較し、統計量が閾値以上である領域を、眩しいと感じられる領域であると判定する。感度判定部１０５は、眩しいと感じられるかどうかを示すフラグを領域に関連付けて情報管理部１０８内のメモリに記憶させる。
【００２１】
線幅決定部１０６は、微調整判定部１０３における判定結果及び感度判定部１０５における判定結果に基づいて、各領域におけるマーカの線幅を決定することにより、マーカの形状を決定する線幅決定手段である。線幅決定部１０６は、微調整判定部１０３が、ユーザが微調整をしていると判定し、かつユーザが眩しいと感じると感度判定部１０５が判定した場合に、マーカの線幅を変更することによりマーカの形状を変更する。
【００２２】
線幅決定部１０６は、例えば、マーカを表示する領域の輝度の統計量が、所定の閾値以上である場合に、マーカの形状を、デフォルト形状から、輝度が高い領域においてもユーザが視認しやすい線幅に変更する。線幅決定部１０６は、画面全体の平均輝度が所定の閾値以上である場合にマーカの線幅を太くしてもよい。また、線幅決定部１０６は、表示する画像に含まれている注目物の輝度が所定の輝度以上である場合に、注目物に対応する位置に表示されるマーカの線幅を太くしてもよい。
【００２３】
描画部１０７は、線幅決定部１０６が決定した線幅でマーカを描画したグラフィックス画像を作成する。
情報管理部１０８は、ユーザ操作インタフェース１０１から取得した情報を記録するメモリを有する。情報管理部１０８は、輝度特定部１０４が算出した輝度の統計量、及び感度判定部１０５が判定した眩しさに関するフラグをメモリに記憶する。また、情報管理部１０８は、ユーザ操作インタフェース１０１を介して入力された、マーカ表示に関する設定内容を記憶する。
【００２４】
合成部１０９は、映像入力インタフェース１００から取得した画像と描画部１０７から取得したグラフィックス画像とを合成して表示画像を生成する。
表示パネル１１０は、合成部１０９から取得した表示画像を表示する表示手段であり、例えば液晶ディスプレイである。表示パネル１１０は、輝度特定部１０４が特定した輝度に基づいて線幅決定部１０６が決定した線幅のマーカ画像を入力画像に重畳した表示画像を表示する。
【００２５】
図２は、表示装置１が表示可能なユーザメニューを示す図である。ユーザメニューには、マーカ制御設定２０、クロスハッチ表示設定２１及びマーカ種別設定２２が含まれている。ユーザは、マーカ制御設定２０を選択することにより、オフ２００、自動２０１、オン２０２の３種類の動作を選択できる。また、ユーザは、クロスハッチ表示設定２１を選択することにより、網状の模様であるクロスハッチをどこに表示させるかを選択することができる。具体的には、ユーザは、クロスハッチを表示する領域を、注目物近傍２１１又は高輝度領域近傍２１２の２種類から選択できる。
【００２６】
また、ユーザは、マーカ種別設定２２を選択すると、表示するマーカの種別を設定することができる。具体的には、ユーザは、センターマーカ２２０、エリアマーカ２２１及びクロスハッチ２２２のそれぞれを用いるかどうかを設定できる。つまり、ユーザは、センターマーカ２２０、エリアマーカ２２１及びクロスハッチ２２２のそれぞれのオン設定又はオフ設定を行うことができる。例えば、センターマーカを表示する場合、マーカ制御設定２０はオン２０２の設定とされ、マーカ種別設定２２のセンターマーカ２２０がオン設定され、エリアマーカ２２１及びクロスハッチ２２２がオフ設定とされる。クロスハッチ表示設定２１は使用されない。上記の各種の設定内容は、ユーザがユーザ操作インタフェース１０１から入力し、情報管理部１０８に記録される。
【００２７】
［微調整判定処理の方法］
図３は、微調整判定部１０３の動作について説明するための概念図である。
本実施形態における微調整判定部１０３は、まず、注目物の動きを検出するために動きベクトル量を算出する。微調整判定部１０３は、動きベクトル量を求めるために映像フレームを複数のブロック（例えば８ｘ８画素単位のブロック）に分割する。微調整判定部１０３は、動きベクトル量を求める基準ブロックと参照フレーム（例えば、時間的に１つ前のフレーム）とを比較し、比較した結果が最も類似しているブロックの位置を特定する。
【００２８】
図３におけるフレーム５００は、時間ｔ０における映像フレームである。フレーム５０１は、フレーム５００よりも１つ後の時間のフレームであり、時間ｔ１における映像フレームを示す。ここで、ｔ１は、ｔ０から（ｔ１−ｔ０）だけ時間が進んでいるものとする。
【００２９】
フレーム５００に含まれるブロック５０２は、ブロック内に被写体５０３を有している。注目物検出部１０２は、時間ｔ１のブロック５０４の動きベクトル量を求めるために、時間ｔ０の参照フレーム５００において、時間ｔ１のブロック５０４と類似する画素値を有するブロック５０２を探索する。類似ブロックの探索方法は、例えば差分絶対値和（ＳＡＤ）を算出して類似ブロックを判定する方法である。
【００３０】
微調整判定部１０３は、ｔ０における類似ブロックの座標を（ｘ０、ｙ０）、ｔ１における動きベクトル量を求めるブロックの座標を（ｘ１、ｙ１）とした場合に、以下の式（１）によって動きベクトル量を算出することができる。
2017219566.tif 000003
すなわち、微調整判定部１０３は、類似ブロックであるブロック５０２の座標（ｘ０、ｙ０）及びブロック５０４の座標（ｘ１、ｙ１）を求めて、式（１）を用いることにより、ブロック５０４の動きベクトル量５０５を求めることができる。微調整判定部１０３は、このように全てのブロックに関して動きベクトル量を算出する。
【００３１】
図４は、微調整判定部１０３が生成する動きベクトル検出結果１５０の概念図である。ブロック１５１は分割ブロックの１つである。各分割ブロックはブロック単位の座標を有している。図４は、画像全体を水平方向にｘ−１個、垂直方向にｙ−１個に分割した例を示している。例えば、ブロック１５１の座標は（０，０）であり、ブロック１５２の座標は（１，１）である。また、各ブロックの数値は動きベクトル量を示している。
【００３２】
微調整判定部１０３は、注目物検出部１０２が検出した注目物の動きベクトル検出結果に基づいて被写体の動きを推定し、ユーザによるカメラの撮影位置の微調整が行われたことを判定する。微調整判定部１０３は、動きベクトル検出結果が所定の範囲内の場合に、微調整が行われていると判定する。例えば、微調整判定部１０３は、以下の式（２）を用いて微調整を判定することができる。
０  ＜  動きベクトル量  ＜  閾値（ＴＨＶ）          式（２）
【００３３】
例えば、閾値ＴＨＶが１０である場合、ブロック１５１の動きベクトル量が５であることから、微調整判定部１０３は、ユーザが微調整していると判定する。また、ブロック１５２の動きベクトル量も５なので、微調整判定部１０３は、ユーザが微調整していると判定する。このように全てのブロックに対して式（２）を適用し、９０％以上のブロックの動きベクトル量が式（２）を満たしているときに、微調整判定部１０３は、微調整が行われていると判定する。
【００３４】
［統計量の算出方法］
図５は、輝度特定部１０４による統計量の算出結果２００の概念図である。輝度特定部１０４は、ｍ画素×ｎ画素で構成されるブロック毎に統計量を算出することにより、統計量算出結果２００を生成する。各ブロックは、座標（ｘ、ｙ）で指定される。例えば、ブロック２０１の座標は（０，０）である。
【００３５】
輝度特定部１０４は、映像入力インタフェース１００から入力される映像に基づいて、式（３）を用いて各ブロックの画素値の平均値であるＡＶＥ（ｘ、ｙ）を求める。
ＡＶＥ（ｘ、ｙ）＝Σ画素値（ｍ、ｎ）／（ｍ×ｎ）        式（３）
式（３）におけるｍ及びｎは、分割ブロック内の水平方向の画素数及び垂直方向の画素数を示している。例えば、ブロックが１６×８画素で構成されている場合、ｍは１６、ｎは８である。
【００３６】
例えば、輝度特定部１０４が、式（３）を用いてブロック２０１のＡＶＥ(０，０)を求めた結果は１００になる。このように、輝度特定部１０４は、全ての分割ブロックに対して画素値の平均値を算出して統計量算出結果２００を算出する。
【００３７】
［センターマーカの表示例］
図６は、表示装置１においてマーカが表示されておらず、撮影装置から入力されたＨＤＲ画像を表示している状態を示す図である。表示画像には、太陽３０、山３１、雲３２、人物３３及び道路３４が含まれている。
【００３８】
図７は、画面の中央にセンターマーカ６０を表示した状態を示す図である。センターマーカ６０の中心を部分的に拡大したものが、基本センターマーカ６１と拡張センターマーカ６２である。図７において灰色で示されている基本センターマーカ６１は、輝度特定部１０４が特定した輝度が所定の範囲内であり、ユーザが眩しく感じないと感度判定部１０５が判定した領域にセンターマーカ６０を表示する場合に表示される基準マーカ画像である。
【００３９】
図７において黒色で示されている拡張センターマーカ６２は、ユーザが眩しく感じると感度判定部１０５が判定した領域にセンターマーカ６０を表示する場合に、センターマーカ６０の線幅を、線幅決定部１０６が決定した線幅にするための領域である。具体的には、描画部１０７が、基本センターマーカ６１の上側、下側、左側及び右側の少なくともいずれかに、輝度特定部１０４が特定した輝度に対応する太さの線を付加することにより、表示パネル１１０は、基本センターマーカ６１よりも線幅が大きいマーカ画像を表示する。
【００４０】
図７に示す例においては、描画部１０７は、基本センターマーカ６１の上側、左側、下側及び右側に、拡張センターマーカ６２を描画する。その結果、描画部１０７は、センターマーカ６０の線幅を太くすることができる。このようにして、表示パネル１１０は、輝度特定部１０４が特定した輝度が所定の閾値以上である場合に、輝度特定部１０４が特定した輝度が所定の閾値未満である場合よりも線幅が大きいセンターマーカ６０を表示することができる。
【００４１】
［センターマーカ６０の線幅の決定方法］
図８は、線幅決定部１０６が線幅を決定する方法について説明するための図である。図８における横軸は輝度を示し、縦軸は線幅を示す。線幅決定部１０６は、輝度が高くなればなるほどセンターマーカ６０の線幅を太くする。線幅決定部１０６は、例えば、輝度がＹ０からＹ１の間にある場合、線幅をＷ０とする。線幅決定部１０６は、輝度がＹ１からＹ２の間にある場合、線幅をＷ１とする。線幅決定部１０６は、輝度がＹ２からＹ３の間にある場合、線幅をＷ２とする。線幅決定部１０６は、輝度がＹ３以上である場合、線幅をＷ３とする。線幅決定部１０６が線幅を決定する方法は、図８に示した例に限られず、輝度に応じて線幅を線形的に太くする方法でもよい。
【００４２】
［センターマーカ６０の表示手順］
図９は、センターマーカ６０を表示する動作の手順を示すフローチャートである。
まず、描画部１０７は、情報管理部１０８に記録されたマーカ制御設定２０及びマーカ種別設定２２の情報を取得する。そして、描画部１０７は、センターマーカ２２０、エリアマーカ２２１及びクロスハッチ２２２の少なくとも一つがオン設定になっている場合、マーカ表示を開始すると判定する（Ｓ１０１）。本例では、ユーザが、センターマーカ２２０をオン設定し、エリアマーカ２２１及びクロスハッチ２２２をオフ設定し、マーカ制御設定２０をオン２０２としている場合について説明する。
【００４３】
続いて、感度判定部１０５は、輝度特定部１０４が抽出した輝度の統計量に基づいて、ユーザが眩しいと感じるか否かを判定する（Ｓ１０２）。感度判定部１０５が、ユーザが眩しく感じると判定した場合（Ｓ１０３においてＹｅｓ）、線幅決定部１０６は、線幅をデフォルト幅よりも太くすることに決定し（Ｓ１０４）、描画部１０７は、決定された線幅のセンターマーカ６０を描画する（Ｓ１０５）。感度判定部１０５が、ユーザが眩しく感じないと判定した場合（Ｓ１０３においてＮｏ）、線幅決定部１０６は、線幅をデフォルト幅とすることに決定し、描画部１０７は、デフォルト幅のセンターマーカ６０を描画する（Ｓ１０５）。
【００４４】
［エリアマーカの表示例］
続いて、表示装置１が、入力画像における所定の領域を示すエリアマーカを表示する場合の例について説明する。
図１０は、画面の中央にエリアマーカ９０を表示した状態を示す図である。エリアマーカ９０は、エリアマーカ９０の拡大画像が示すように、灰色で示す基本エリアマーカ９１及び黒色で示す拡張エリアマーカ９２を含んでいる。線幅決定部１０６は、基本エリアマーカ９１の外側に、輝度特定部１０４が特定した輝度に対応する太さの線である拡張エリアマーカ９２を付加することにより、エリアマーカ９０が示す領域の外側に向けてエリアマーカ９０の線幅を大きくする。このようにすることで、描画部１０７は、エリアの内側の画像の視認性を損なうことなく、エリアマーカ９０の視認性を向上させることができる。
【００４５】
［エリアマーカ９０の表示手順］
図１１は、エリアマーカ９０を表示する動作の手順を示すフローチャートである。
図９に示した手順と同様に、まず、描画部１０７は、情報管理部１０８に記録されたマーカ制御設定２０及びマーカ種別設定２２の情報を取得する。そして、描画部１０７は、エリアマーカ２２１がオン設定になっていると判定する（Ｓ１０１）。
【００４６】
続いて、注目物検出部１０２は、映像入力インタフェース１００から取得した画像において注目物を検出し、注目物の座標を特定する（Ｓ２０１）。微調整判定部１０３は、注目物検出部１０２が特定した注目物の座標の複数の画像における変化の有無に基づいて、ユーザが、撮影装置を用いて撮影位置の微調整を実施しているかどうかを判定する（Ｓ２０２）。具体的には、微調整判定部１０３は、注目物検出部１０２から取得した注目物の現在の画像フレームの時刻における座標と１つ前の画像フレームの時刻における座標との差に基づいて動きベクトル量を算出することにより、微調整の有無を判定する。微調整の判定の詳細なフローについては図１２を用いて後述する。
【００４７】
微調整判定部１０３が、ユーザが微調整を実施していると判定した場合（Ｓ２０２においてＹｅｓ）、図９に示した例と同様に、感度判定部１０５及び線幅決定部１０６が、ステップＳ１０２からステップＳ１０４を実行する。
【００４８】
感度判定部１０５が、ユーザが眩しいと感じると判定した場合（Ｓ１０３においてＹｅｓ）、線幅決定部１０６は、線幅を太くすることに決定し（Ｓ２０３）、描画部１０７は、線幅を太くしたエリアマーカ９０を描画する（Ｓ２０４）。感度判定部１０５が、ユーザが眩しく感じないと判定した場合（Ｓ１０３においてＮｏ）、描画部１０７は、デフォルト幅のエリアマーカ９０を描画する（Ｓ２０４）。このようにすることで、表示パネル１１０は、微調整判定部１０３が、撮影装置において撮影位置の調整が行われていると判定した場合に、輝度特定部１０４が特定した輝度に基づいて決定した線幅のマーカ画像を表示することができる。
【００４９】
［微調整中かどうかの判定手順］
図１２は、ユーザが微調整を実施しているかどうかを判定する手順のフローチャートである。
まず、微調整判定部１０３は、画像内の注目物を識別するための情報（以下、注目物識別情報という）及び注目物の座標を注目物検出部１０２から取得する（Ｓ３０１）。微調整判定部１０３は、取得した注目物識別情報を注目物の座標に関連付けてメモリに記憶させる。微調整判定部１０３は、現在の時刻より前の時刻における注目物識別情報と注目物の座標とを関連付けてメモリに保持している。
【００５０】
続いて、微調整判定部１０３は、それぞれの注目物に対して、現在の時刻と１つ前の時刻の座標を比較することにより、注目物の動きベクトル量を算出する。そして、微調整判定部１０３は、算出した動きベクトル量を、情報管理部１０８が保持する動きベクトル閾値と比較する（Ｓ３０２）。動きベクトル閾値は、ユーザが設定してもよく、予め表示装置１が記憶している複数の閾値からユーザが選択してもよい。
【００５１】
微調整判定部１０３は、所定の時間にわたって、動きベクトル量が動きベクトル閾値を超えた回数及び超えない回数を集計し、集計結果をメモリに記憶させる。具体的には、微調整判定部１０３は、動きベクトル量が動きベクトル閾値を超えていない場合（Ｓ３０３においてＮｏ）、閾値を超えない回数を集計する（Ｓ３０４）。より具体的には、微調整判定部１０３は、メモリに記憶させた動きベクトル閾値を超えなかった回数を示す第１カウント値に１を加算することにより、動きベクトル閾値を超えない回数を集計する。
【００５２】
続いて、微調整判定部１０３は、第１カウント値を集計値閾値と比較する（Ｓ３０５）。微調整判定部１０３は、第１カウント値が集計値閾値を超えた場合（Ｓ３０６においてＹｅｓ）、ユーザが微調整中であると判定する（Ｓ３１０）。微調整判定部１０３は、第１カウント値が集計値閾値を超えていない場合（Ｓ３０６においてＮｏ）、再判定が必要であると判定する（Ｓ３１１）。
【００５３】
また、微調整判定部１０３は、動きベクトル量が閾値を超えている場合（Ｓ３０３においてＹｅｓ）、閾値を超えた回数を集計する（Ｓ３０７）。より具体的には、微調整判定部１０３は、メモリに記憶させた閾値を超えた回数を示す第２カウント値に１を加算することにより、閾値を超えた回数を集計する。
【００５４】
続いて、微調整判定部１０３は、第２カウント値を集計値閾値と比較する（Ｓ３０８）。微調整判定部１０３は、第２カウント値が集計値閾値を超えた場合（Ｓ３０９においてＹｅｓ）、ユーザが微調整中でないと判定する（Ｓ３１２）。微調整判定部１０３は、第２カウント値が集計値閾値を超えていない場合（Ｓ３０９においてＮｏ）、再判定が必要であると判定する（Ｓ３１１）。
【００５５】
［クロスハッチの表示例（その１）］
続いて、表示装置１がクロスハッチを表示する場合の例について説明する。
図１３は、画面に縦方向及び横方向の網目状の直線から構成されるクロスハッチが表示された状態を示す図である。図１３においては、注目物検出部１０２により選択された注目物の１つである人物３３の近傍の注目物領域において、輝度特定部１０４が特定した輝度に対応し、注目物領域以外の領域よりも線幅が大きいクロスハッチ６１０が表示されている。
【００５６】
図１３に示すクロスハッチを表示させる場合、図２のユーザメニューにおいて、ユーザは、マーカ制御設定２０をオン２０２に、クロスハッチ表示設定２１を注目物近傍２１１に設定する。また、マーカ種別設定２２は、クロスハッチ２２２がオン、センターマーカ２２０及びエリアマーカ２２１はオフとなっている。
【００５７】
［クロスハッチ６１０の表示手順］
図１４は、クロスハッチ６１０を表示する動作の手順を示すフローチャートである。ステップＳ１０１からＳ１０３までの処理は、図９に示したフローチャートと同一である。
ステップＳ１０３において、感度判定部１０５が、ユーザが眩しく感じると判定した場合（Ｓ１０３においてＹｅｓ）、線幅決定部１０６は、注目物検出部１０２から、注目物検出の結果として、注目物識別情報及び注目物の座標を取得する（Ｓ４０１）。
【００５８】
続いて、線幅決定部１０６は、ステップＳ４０１で取得した情報に基づいて、各座標におけるクロスハッチの線幅を決定する。線幅決定部１０６は、例えば、図８を参照して説明した方法により、注目物及び注目物近傍の座標に該当するクロスハッチ６１０の線幅が他の座標のクロスハッチの線幅よりも太くなるように線幅を決定する（Ｓ４０２）。そして、描画部１０７は、ステップＳ１０２で線幅決定部１０６が決定した線幅に基づいて、クロスハッチ６１０のグラフィックス画像を作成する（Ｓ４０３）。合成部１０９は、描画部１０７が作成したグラフィックス画像をＨＤＲ動画像と合成して、クロスハッチの強調表示を完了する。
【００５９】
このように、表示装置１は、撮影装置から入力したＨＤＲ動画像から注目物を検出し、注目物及びその近傍の領域に対応するクロスハッチ６１０を太く描画することができる。これにより、表示装置１が高輝度なＨＤＲ動画像を表示している状態においても、ユーザがクロスハッチ６１０を十分に視認できるので、ユーザが注目物の周辺のエリアの位置を正確に把握することができる。
【００６０】
［クロスハッチの表示例（その２）］
続いて、表示装置１がクロスハッチを表示する場合の他の例について説明する。
図１５は、クロスハッチが表示された他の状態を示す図である。図１５においては、輝度特定部１０４が特定した輝度が所定の閾値以上である高輝度領域において、高輝度領域以外の領域よりも線幅が大きいクロスハッチ６２０が表示されている。
【００６１】
［クロスハッチ６２０の表示手順］
図１６は、クロスハッチ６２０を表示する動作の手順を示すフローチャートである。ステップＳ１０１からＳ１０３までの処理は、図１４に示したフローチャートと同一である。
ステップＳ１０３において、感度判定部１０５が、ユーザが眩しく感じると判定した場合（Ｓ１０３においてＹｅｓ）、線幅決定部１０６は、輝度特定部１０４から各画素の輝度情報を取得する（Ｓ５０１）。
【００６２】
続いて、線幅決定部１０６は、ステップＳ１２１で取得した情報に基づいてクロスハッチの線幅を決定する。線幅決定部１０６は、例えば、図８を参照して説明した方法により、輝度がより高い画素に該当するクロスハッチ６１０の線幅がより太くなるように線幅を決定する（Ｓ５０２）。そして、描画部１０７は、ステップＳ１０２で線幅決定部１０６が決定した線幅に基づいて、クロスハッチ６１０のグラフィックス画像を作成する（Ｓ５０３）。合成部１０９は、描画部１０７が作成したグラフィックス画像をＨＤＲ動画像と合成して、クロスハッチの強調表示を完了する。
【００６３】
このように、表示装置１は、撮影装置から入力したＨＤＲ動画像における輝度が高い領域において、クロスハッチ６１０を太く描画することができる。これにより、表示装置１が高輝度なＨＤＲ動画像において高い輝度で画像を表示している状態においても、ユーザがクロスハッチ６１０を十分に視認できるので、ユーザが注目物の周辺のエリアの位置を正確に把握することができる。
【００６４】
［第１の実施形態における表示装置１による効果］
以上説明したように、第１の実施形態の表示装置１は、撮影装置から入力したＨＤＲ動画像の輝度を特定し、特定した輝度に基づいてユーザが眩しく感じると判定した場合に、マーカ画像をデフォルトの場合の線幅よりも太い線幅で描画する。このようにすることで、表示装置１は、高輝度なＨＤＲ動画像を表示する場合であっても、ユーザがマーカ画像を視認しやすくすることができる。
【００６５】
なお、以上の説明において、線幅決定部１０６は、画面に表示する画像の輝度に基づいて、マーカの線を一律に同じ幅だけ太くするように変更することによりマーカの形状を変更したが、マーカの形状を変更する方法は、これに限らない。線幅決定部１０６は、マーカの一部だけを太くすることによりマーカの形状を変更してもよい。
【００６６】
＜第２の実施形態＞
図１７は、第２の実施形態に係る表示装置２の構成を示す図である。表示装置２は、感度判定部１０５及び線幅決定部１０６を有しておらず、表示輝度算出部１１１、高輝度座標抽出部１１２、描画領域決定部１１３及び画素値補正部１１４を有している点で、第１の実施形態の表示装置１と異なる。以下、第１の実施形態の表示装置１と相違する点を中心に、表示装置２の構成及び動作について説明する。
【００６７】
表示輝度算出部１１１は、輝度特定部１０４における統計量算出結果と表示パネル１１０の特性テーブルを用いてブロック毎の表示輝度を算出する。表示輝度算出部１１１の動作の詳細については後述する。
【００６８】
高輝度座標抽出部１１２は、表示輝度算出部１１１が算出した表示輝度に基づいて、表示輝度が所定の閾値以上の高輝度領域の座標を抽出する。高輝度座標抽出部１１２の動作の詳細については後述する。
【００６９】
描画領域決定部１１３は、マーカを描画する領域を決定する。描画領域決定部１１３は、微調整判定部１０３における微調整中であるかどうかの判定結果、高輝度座標抽出部１１２における輝度値、及びマーカの表示モードの設定状態に基づいて、マーカの描画領域、及びマーカの描画領域における表示画像の輝度値を決定する。描画領域決定部１１３は、決定した描画領域を描画部１０７に通知する。また、描画領域決定部１１３は、描画領域、及び描画領域における表示画像の輝度値を画素値補正部１１４に通知する。
【００７０】
画素値補正部１１４は、映像入力インタフェース１００から入力された映像信号に対して、描画領域決定部１１３から通知された描画領域、及び情報管理部１０８から通知されたマーカモード設定情報に基づいて、映像信号の画素値の輝度値が所定の範囲内になるように画素値を補正する。画素値補正部１１４は、画素値を補正した後の補正画像データを合成部１０９に入力する。
【００７１】
描画部１０７は、描画領域決定部１１３から通知されたマーカの描画領域、及び情報管理部１０８から通知されたマーカ表示に関する設定内容に基づいて、マーカのグラフィックスデータとマーカの描画領域を示すマーカ描画領域情報とを生成し、生成したグラフィックスデータ及びマーカ描画領域情報を合成部１０９に入力する。
【００７２】
合成部１０９は、描画部１０７から入力されたマーカのグラフィックスデータ及びマーカ描画領域情報を用いて、画素値補正部１１４から入力される補正画像データにマーカのグラフィックスデータを合成する。
【００７３】
表示パネル１１０は、合成部１０９が合成して得られた表示画像データを表示する。すなわち、表示パネル１１０は、輝度特定部１０４が特定した輝度が所定の閾値以上である場合に、入力画像の輝度を下げるように画素値補正部１１４が入力画像の画素値を補正した後の補正画像にマーカ画像を重畳した表示画像を表示する。
【００７４】
図１８は、表示輝度算出部１１１による表示輝度算出結果２５０について説明するための図である。図１８（ａ）は、表示輝度算出部１１１による表示輝度算出結果２５０の概念図である。表示輝度算出結果２５０は、複数のブロックに分割されている。各ブロックは座標（ｘ、ｙ）で指定される。例えば、ブロック２５１の座標は（５，０）、ブロック２５２の座標は（０，０）である。
【００７５】
表示輝度算出部１１１は、図５に示した統計量算出結果２００を用いて、表示パネル１１０に表示した際の表示輝度値である表示輝度算出結果２５０を算出する。輝度特定部１０４が算出した統計量算出結果２００の画素値はＲＧＢ値に基づいて得られた値なので、表示輝度算出部１１１は、ＲＧＢ値に基づいて輝度成分を算出する。表示輝度算出部１１１は、一般的な変換式である式（４）を用いて、ＲＧＢ値に基づいて輝度値Ｙ（ｘ、ｙ）を算出することができる。
Ｙ（ｘ、ｙ）＝0.229×Ｒ＋0.587×Ｇ＋0.114×Ｂ        式（４）
【００７６】
次に、表示輝度算出部１１１は、各ブロックの表示輝度を求めて表示輝度算出結果２５０を生成するために、表示パネル１１０の変換特性テーブルを用いて、Ｙ（ｘ，ｙ）を表示輝度に変換する。変換特性テーブルＬＵＴは、あらかじめ算出した輝度値と表示パネル１１０の表示輝度特性との関係をテーブルにしたものである。図１８（ｂ）に変換特性テーブルＬＵＴの概念図を示す。輝度値Ｙは、式（４）で求めた値である。また、ＬＵＴ（Ｙ）は、輝度値Ｙに対する表示パネル１１０に表示した際の輝度値である。表示輝度算出結果２５０をＨＹ（ｘ、ｙ）とすると、表示輝度算出部１１１は、変換特性テーブルＬＵＴを用いて式（５）を用いて、表示輝度算出結果２５０を算出することができる。
ＨＹ（ｘ、ｙ）＝ＬＵＴ（Ｙ（ｘ、ｙ））                式（５）
【００７７】
例えば、図１８に示す例においては、ブロック２５１に対応する表示輝度値ＨＹ（５，０）は１０ｃｄ／ｍ２である。また、ブロック２５２の表示輝度値ＨＹ（０，０）は１０００ｃｄ／ｍ２である。このように、表示輝度算出部１１１は、全てのブロックの表示輝度を算出して表示輝度算出結果２５０を生成する。
【００７８】
図１８(ｃ)は、高輝度座標抽出部１１２について説明するための２値変換結果２６０の概念図である。高輝度座標抽出部１１２は、表示輝度算出結果２５０に基づいて、高輝度の領域の座標を抽出する。２値変換結果２６０は、表示輝度算出結果２５０の各ブロックの表示輝度を所定の閾値と比較して、表示輝度が閾値以上のブロックを抽出した結果である。図１８（ｃ）に示すように、高輝度座標抽出部１１２は、表示輝度が閾値以上（例えば、１５０ｃｄ／ｍ２以上）の高輝度であると判定した場合、ブロックの輝度判定値を１に設定して、表示輝度が閾値未満の場合、ブロックの輝度判定値を０に設定する。
【００７９】
高輝度座標抽出部１１２は、一つのフレームを複数のブロックに分割して、ブロックの座標に輝度判定値を関連付けることにより、２値変換結果２６０を生成する。図１８（ｃ）の例においては、２値変換結果２６０のブロックのうち、座標が（０、０）、（１、０）、（１、１）、（０、１）のブロックを含む領域は、座標輝度判定値が１に設定された高輝度領域２６１である。高輝度座標抽出部１１２は、画像内の高輝度領域の座標を抽出し、抽出した座標を描画領域決定部１１３に通知する。
【００８０】
以上説明したように、表示装置２においては、入力画像を構成する複数の領域それぞれにおける入力画像の輝度に基づいて、表示輝度算出部１１１が算出した表示輝度を特定することにより、高輝度座標抽出部１１２が高輝度領域を抽出する。そして、表示パネル１１０は、複数の領域のうち、輝度特定部１０４が特定した入力画像の輝度が閾値以上の高輝度領域の画素値を補正した補正画像にマーカ画像を重畳した表示画像を表示する。表示装置２がこのような構成を有することにより、高輝度領域の表示輝度が下がるので、高輝度領域におけるマーカの視認性が向上する。
【００８１】
図１９は、第２の実施形態に係る情報管理部１０８について説明するための概念図である。情報管理部１０８は、設定受付手段としてのユーザ操作インタフェース１０１を介して設定されたマーカ制御設定を管理し、マーカの表示状態を制御する。情報管理部１０８は、マーカを優先して表示するモード、又は画質を優先して表示するモードのどちらのモードで動作するかを管理する。
【００８２】
マーカ制御設定には、「オフ」、「オン」、「自動」の３種類がある。情報管理部１０８は、マーカ制御設定がオフの場合はマーカ制御を行わない。したがって、情報管理部１０８は、マーカの描画領域及び映像の最大輝度値を制御しない。情報管理部１０８は、マーカ制御設定がオンの場合はマーカ制御を行う。具体的には、情報管理部１０８は、入力画像の輝度に応じてマーカの描画領域及び入力画像の最大輝度値を制御する。情報管理部１０８は、マーカ制御設定が自動の場合、ユーザがカメラ位置を微調整している際に、マーカのオンとオフを制御する。
【００８３】
マーカ制御設定がオン又は自動の場合、情報管理部１０８は、さらにマーカ優先モードか画像優先モードかに基づいて制御する。マーカ優先モードは、画像の画質よりもマーカを表示することを優先するモードである。また、画像優先モードは、マーカを表示することよりも入力画像の画質を維持することを優先するモードである。
【００８４】
［表示装置２のマーカ表示手順のフローチャート］
図２０は、表示装置２のマーカ表示手順のフローチャートである。
まず、情報管理部１０８は、ユーザ操作インタフェース１０１を介して、マーカ制御の設定を受け付ける（Ｓ６０１）。マーカ制御設定がオンに設定された場合、情報管理部１０８は、ステップＳ６０４の優先モード設定処理に進む。また、マーカ制御設定が自動に設定された場合、情報管理部１０８は、ステップＳ６０２の注目物検出処理に進む。さらに、マーカ制御設定がオフに設定された場合、情報管理部１０８は、ステップＳ６０８のマーカ描画処理に進む。
【００８５】
ステップＳ６０２の注目物検出処理においては、注目物検出部１０２が、映像入力インタフェース１００から入力された映像内の被写体の動きベクトルを検出する。続いて、微調整判定部１０３が、ユーザが撮影装置の微調整を行っているかどうかを判定する（Ｓ６０３）。微調整判定部１０３が、ユーザが微調整をしていると判定した場合、ステップＳ６０４の優先モード設定処理に進む。微調整判定部１０３が、ユーザが微調整をしていないと判定した場合、ステップＳ６０８のマーカ描画処理に進む。
【００８６】
ステップＳ６０４の優先モード設定処理においては、情報管理部１０８が、ユーザ操作インタフェース１０１を介して設定したモードに基づいて、マーカ制御処理のモードを設定する。優先モード設定処理において画像優先モードが設定された場合は、ステップＳ６０５に進んで表示輝度の検出処理を実行する。また、優先モード設定処理においてマーカ優先モードが設定された場合は、ステップＳ６０９に進んで、表示画像の輝度変換処理を実行する。
【００８７】
ステップＳ６０５の表示輝度の検出処理においては、輝度特定部１０４が統計量を算出するとともに、表示輝度算出部１１１が表示輝度を算出する。その後、ステップＳ６０６に進んで、表示輝度の検出結果に基づいて、高輝度座標抽出部１１２が、高輝度領域の座標を算出する。
【００８８】
続いて、描画領域決定部１１３は、微調整判定部１０３と高輝度座標抽出部１１２の結果を用いてマーカの描画領域を特定し、特定した描画領域を描画部１０７に通知する（Ｓ６０７）。描画領域決定部１１３は、マーカの表示モードがマーカを優先して表示させるモードに設定されている場合は、画素値補正部１１４に対して、表示画像の輝度値を所定の範囲に収めるように指示を出力するとともに、描画部１０７に対してマーカの描画領域情報を送信してマーカを描画するように指示する。
【００８９】
また、描画領域決定部１１３は、マーカの表示モードが画像を優先して表示させる画像優先モードである場合は、描画部１０７に、画像の高輝度領域にマーカを描画せず、高輝度領域以外の領域にマーカを表示するように指示する。描画部１０７は、描画領域決定部１１３からマーカを描画するように指示されると、マーカのグラフィックスデータを合成部１０９に出力する。具体的には、描画部１０７は、描画領域決定部１１３から取得したマーカの描画領域情報を、マーカのグラフィックスデータとともに合成部１０９に出力することにより、マーカを描画する処理を実行する（Ｓ６０８）。
【００９０】
合成部１０９は、画素値補正部１１４から入力された画像データとマーカのグラフィックスデータとを合成する。このとき、合成部１０９は、描画領域情報に基づいて、補正後の画像データにマーカを合成する。マーカが合成した画像データは、表示パネル１１０に出力され表示される。表示モードが画像優先モードに設定されている場合、表示パネル１１０には、高輝度領域にマーカが表示されることなく、画素値が補正されていない入力画像がそのまま表示される。また、表示パネル１１０には、輝度特定部１０４が特定した輝度が所定の範囲内である領域においては、入力画像にマーカを重畳した表示画像が表示される。
【００９１】
ステップＳ６０４の優先モード設定処理において、マーカの表示を優先するマーカ優先モードが選択された場合、画素値補正部１１４が、画像データにおける輝度の最大値が所定の範囲に収まるように輝度値を補正する（Ｓ６０９）。画素値補正部１１４は、補正後の画像データを合成部１０９に出力する。この場合、表示パネル１１０には、画素値補正部１１４において補正された画像データとマーカのグラフィックスデータとが合成された表示画像が表示される。
【００９２】
［高輝度領域へのマーカ表示例］
図２１は、高輝度領域にマーカを表示する例を示す図である。図２１には、映像入力インタフェースから入力された画像データとマーカのグラフィックスデータとを合成した後に表示パネル１１０に表示された画面を示している。図２１（ａ）は、画像優先モードにおける高輝度領域へのマーカ表示例であり、図２１（ｂ）は、マーカ優先モードにおける高輝度領域へのマーカ表示例である。
【００９３】
図２１の画面には、高輝度領域４０２を除く領域に、網目状のマーカ４０１が表示されている。高輝度領域４０２は、入力画像において、輝度が所定の閾値よりも高い領域であり、図２０におけるステップＳ６０６の高輝度領域の座標抽出処理で抽出した領域であり、画素の輝度値が所定の閾値（例えば１５０ｃｄ／ｍ２）以上の領域である。画像優先モードでは、高輝度領域４０２にマーカ表示を行わないようにされているので、高輝度領域４０２には、マーカ４０１が表示されていない。
【００９４】
他方で、図２１（ｂ）に示すマーカ優先モードにおいては、高輝度領域４２１の画像の輝度値が閾値以内になるように輝度変換処理が行われている。高輝度領域４２１の輝度が低下することにより、高輝度領域４２１においても網目状のマーカ４０１が視認できる状態で表示されていることがわかる。
【００９５】
以上説明したように、表示装置２は、表示する画像内に輝度が所定の閾値以上である領域が含まれている場合、画像優先モードにおいては画像をそのまま表示して、高輝度領域内にマーカを表示せず、マーカ優先モードにおいては、高輝度領域内の画像の輝度値を下げて、高輝度領域内にマーカを表示する。このようにすることで、表示装置２は、ユーザが高輝度領域の画像をそのまま視認できるようにするとともに、ユーザがマーカを視認したい場合に、高輝度領域内でもマーカを視認できるようにすることができる。
【００９６】
＜第３の実施形態＞
図２２は、第３の実施形態に係る表示装置３の構成を示す図である。
表示装置３においては、第２の実施形態と異なるフォーマットのＨＤＲ映像信号が入力される。ＨＤＲ映像信号は、第１のダイナミックレンジに対応するＲＧＢフォーマットの映像信号と、第１のダイナミックレンジよりも大きい第２のダイナミックレンジに対応する、ＲＧＢフォーマットの映像信号のダイナミックレンジを拡張する差分信号とを含んで構成される。表示装置３は、ＨＤＲ映像信号を表示するために、一部の構成が第２の実施形態に係る表示装置２と異なっており、以下では、表示装置２と異なる部分について説明する。
【００９７】
表示装置３は、ＨＤＲ生成部１１５及び画像選択部１１６を有する。ＨＤＲ生成部１１５は、ＨＤＲ映像信号に含まれているベース画像（第１のダイナミックレンジの第１画像データ）と差分画像（第２のダイナミックレンジの第２画像データ）とに基づいて、高ダイナミックレンジの画像を生成する。具体的には、ＨＤＲ生成部１１５は、例えばベース画像が８ビット階調で、差分画像が４ビット階調である場合に、高ダイナミックレンジ画像として１２ビット階調の画像を生成する。
【００９８】
画像選択部１１６は、映像入力インタフェース１００から入力されるベース画像、及びＨＤＲ生成部１１５から入力される高ダイナミックレンジ画像のうち、一方の画像のデータを選択して、選択した画像データを合成部１０９に出力する。画像選択部１１６は、例えば、描画領域決定部１１３から通知された高輝度領域の座標情報に基づいて、高輝度領域の画素の画素値としてベース画像の画素値を選択し、高輝度領域以外の領域の画素の画素値として高ダイナミックレンジ画像の画素値を選択する。このようにすることで、表示パネル１１０は、輝度特定部１０４が特定した輝度が所定の閾値以上である場合にベース画像を表示し、輝度特定部１０４が特定した輝度が所定の閾値未満である場合に高ダイナミックレンジの画像を表示する。その結果、表示パネル１１０は、高ダイナミックレンジの画像を表示しつつも、マーカの表示に適した輝度の画像を表示することができる。
【００９９】
図２３は、表示装置３のマーカ表示手順のフローチャートである。図２３に示すフローチャートは、ステップＳ６０４とステップＳ６０５の間において、ＨＤＲ生成部１１５がＨＤＲ画像データを作成する手順（Ｓ７０１）を実行する点、及びステップＳ６０４においてマーカ優先モードが設定された場合に、画像選択部１１６がベース画像データを選択する手順（Ｓ７０２）を実行する点で、図２０に示した表示装置２のフローチャートと異なり、他の点で同一である。
【０１００】
画像優先モードにおいては、ＨＤＲ生成部１１５がＨＤＲ画像データを作成した後にステップＳ６０５〜ステップＳ６０７を実行して、描画領域決定部１１３がマーカ描画領域を設定する。そして、画像選択部１１６において、マーカ描画領域の画素値をベース画像の画素値に変更した後に、表示パネル１１０が、画像データとマーカのグラフィックスデータとを合成して表示する。
【０１０１】
以上説明したように、第３の実施形態の表示装置３は、ＨＤＲ動画像とマーカとを同時に表示する領域において、ＨＤＲ動画像のベース画像を表示することで、ＨＤＲ動画像の輝度を制限する。このようにすることで、表示装置３は、マーカが表示される領域の輝度を適正な範囲にすることができるので、ＨＤＲ動画像を表示する際にもユーザがマーカを視認しやすくすることができる。
【０１０２】
＜第４の実施形態＞
第１の実施形態〜第３の実施形態においては、表示装置の内部において、マーカの線幅を太くしたり、高輝度領域の輝度を下げてマーカを見やすくしたりしたが、これらの処理を表示装置以外の電子機器において実現してもよい。例えば、表示装置や表示パネルに表示する画像を出力するコンピュータが、記録媒体に記録されたプログラムを実行することにより、注目物検出部１０２、微調整判定部１０３、輝度特定部１０４、感度判定部１０５、線幅決定部１０６、描画部１０７、情報管理部１０８、合成部１０９、表示輝度算出部１１１、高輝度座標抽出部１１２、描画領域決定部１１３及び画素値補正部１１４として機能してもよい。
【０１０３】
この場合、コンピュータが、入力画像の輝度に基づいてマーカの線幅を太くしたり、高輝度領域の輝度を下げるように画素値を補正したりすることにより、マーカを見やすくしたりした表示画像データを生成し、生成した表示画像データを表示装置に出力することにより、第１の実施形態〜第３の実施形態と同等の作用及び効果を得られるようにしてもよい。
【０１０４】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【０１０５】
１  表示装置
１００  映像入力インタフェース
１０４  輝度特定部
１１０  表示パネル
【図１】
2017219566.tif 000004
【図２】
2017219566.tif 000005
【図３】
2017219566.tif 000006
【図４】
2017219566.tif 000007
【図５】
2017219566.tif 000008
【図６】
2017219566.tif 000009
【図７】
2017219566.tif 000010
【図８】
2017219566.tif 000011
【図９】
2017219566.tif 000012
【図１０】
2017219566.tif 000013
【図１１】
2017219566.tif 000014
【図１２】
2017219566.tif 000015
【図１３】
2017219566.tif 000016
【図１４】
2017219566.tif 000017
【図１５】
2017219566.tif 000018
【図１６】
2017219566.tif 000019
【図１７】
2017219566.tif 000020
【図１８】
2017219566.tif 000021
【図１９】
2017219566.tif 000022
【図２０】
2017219566.tif 000023
【図２１】
2017219566.tif 000024
【図２２】
2017219566.tif 000025
【図２３】
2017219566.tif 000026